Podtech/llm-jp-corpus-v4-ja_patent huggingface dataset:
(57)【特許請求の範囲】
【請求項１】
支柱と、前記支柱間に固定された、縦線と横線とを格子状に組んだ柵本体とからなり、前記柵本体には、前記縦線をリング状に折り曲げることにより形成された胴縁を有する柵において、
前記胴縁内に、コイル状の発光体が前記胴縁に沿って挿入され、前記発光体は、蓄光線材からなっていることを特徴とする発光体付き柵。
【請求項２】
前記胴縁は、上胴縁からなることを特徴とする、請求項１に記載の発光体付き柵。
【発明の詳細な説明】
【技術分野】
【０００１】
この発明は、発光体付き柵、特に、夜間において、優れた視線誘導効果を有する発光体としての蓄光線材が取り付けられた柵に関するものである。
【背景技術】
【０００２】
従来、視線誘導効果を高めた道路柵が特許文献１に開示されている。
【０００３】
以下、この道路柵を従来柵といい、図面を参照しながら説明する。
【０００４】
図５は、従来柵を示す部分正面図である。
【０００５】
図５に示すように、従来柵は、親柱１１と、中間柱１２と、中間柱１２間に配された横ビーム１３と、横ビーム１３間に配された縦ビーム１４と、手摺１５と、手摺１５に沿って取り付けられたチューブ状の発光体１６と、親柱１１内に設置された、発光体１６の光源１７と、電源１８とからなっている。
【０００６】
発光体１６は、光源１７から導光された光を出射することにより線状に発光する機能を有している。
【０００７】
発光体１６は、可撓性チューブと、この中に収容された、可撓性チューブよりも屈折率の高いコアとからなっている。
【０００８】
光源１７は、商用電源や太陽電池等の電源１８から給電されて発光するハロゲンランプ等からなっている。
【０００９】
このように、手摺１５に線状の発光体１６を取り付けることによって、特に、夜間において、高い視線誘導効果を得ることができる。
【先行技術文献】
【特許文献】
【００１０】
【特許文献１】特開平８−２４６４２６号公報
【特許文献２】特開２００２−１１８１８号公報
【発明の概要】
【発明が解決しようとする課題】
【００１１】
上記従来柵によれば、手摺１５に線状の発光体１６を取り付けることによって、特に、夜間において、高い視線誘導効果を得ることができるが、以下のような問題があった。
【００１２】
（ａ）発光体１６は、光源１７を必要とするので、何らかの原因で電源１８が故障した場合には、発光体１６の機能が発揮されない。
（ｂ）発光体１６は、光源１７から導光された光を出射することにより発光するものであるので、発光量が、発光体１６の全長に亘って均一でない。
【００１３】
従って、この発明の目的は、夜間において、高い視線誘導効果を得ることができることは勿論、故障することなく所定時間、発光が持続し、発光体の全長に亘って均一な発光量を得ることができる発光体付き柵を提供することにある。
【課題を解決するための手段】
【００１４】
この発明は、上記目的を達成するためになされたものであり、下記を特徴とするものである。
【００１５】
請求項１に記載の発明は、支柱と、前記支柱間に固定された、縦線と横線とを格子状に組んだ柵本体とからなり、前記柵本体には、前記縦線をリング状に折り曲げることにより形成された胴縁を有する柵において、前記胴縁内に、コイル状の発光体が前記胴縁に沿って挿入され、前記発光体は、蓄光線材からなっていることに特徴を有するものである。
【００１６】
請求項２に記載の発明は、請求項１に記載の発明において、前記胴縁は、上胴縁からなることに特徴を有するものである。
【発明の効果】
【００１７】
この発明によれば、夜間において、高い視線誘導効果を得ることができることは勿論、故障することなく所定時間、発光が持続し、発光体の全長に亘って均一な発光量を得ることができる。
【図面の簡単な説明】
【００１８】
【図１】この発明の発光体付き柵を示す部分正面図である。
【図２】この発明の発光体付き柵を示す部分拡大側面図である。
【図３】この発明の発光体付き柵を示す部分拡大斜視図である。
【図４】コイル状の発光体を示す部分正面図である。
【図５】従来柵を示す部分正面図である。
【発明を実施するための形態】
【００１９】
この発明の発光体付き柵の一実施態様を、図面を参照しながら説明する。
【００２０】
図１は、この発明の発光体付き柵を示す部分正面図、図２は、この発明の発光体付き柵を示す部分拡大側面図、図３は、この発明の発光体付き柵を示す部分拡大斜視図である。
【００２１】
図１から図３において、１は、支柱、２は、支柱１間に固定された柵本体である。柵本体２は、縦線３と横線４とを格子状に溶接により組み、縦線３の上部をリング状（円形状）に折り曲げることにより上胴縁５が形成されたものからなっている。リング状に折り曲げられた縦線３の内側には、複数本の横線４が配されている。
【００２２】
６は、発光体としてのコイル状に形成された蓄光線材である（図４参照）。蓄光線材６は、上胴縁５内に、上胴縁５に沿って挿入されている。
【００２３】
蓄光線材６は、鋼線に、例えば、特許文献２に開示されている蓄光性物質をコーティングしたものからなっている。蓄光性物質は、外部から光や紫外線等を受けると蓄光して、暗い所で発光する作用を有している。
【００２４】
このように、リング状の上胴縁５内にコイル状に形成された蓄光線材６を挿入することにより、蓄光性物質が昼間は、蓄光し、夜間に発光するために、高い視線誘導効果が得られる。
【００２５】
しかも、蓄光線材６は、無電源で発光するために、故障することもなく、蓄光線材６の全長に亘って均一に発光する。
【００２６】
上記例は、上胴縁５において、横線４がリング状に折り曲げられた縦線３内に配されたものであるが、横線４がリング状に折り曲げられた縦線３外に配されたものであっても良い。
【００２７】
以上のように、この発明によれば、夜間において、高い視線誘導効果を得ることができることは勿論、故障することなく所定時間、発光が持続し、発光体の全長に亘って均一な発光量を得ることができる。
【符号の説明】
【００２８】
１：支柱
２：柵本体
３：縦線
４：横線
５：上胴縁
６：蓄光線材
１１：親柱
１２：中間柱
１３：横ビーム
１４：縦ビーム
１５：手摺
１６：発光体
１７：光源
１８：電源
【図１】
0006356086.tif 000002
【図２】
0006356086.tif 000003
【図３】
0006356086.tif 000004
【図４】
0006356086.tif 000005
【図５】
0006356086.tif 000006
(57)【特許請求の範囲】
【請求項１】
強度を保つ湾曲形状材ホルダーの一方端にヘラ状部を設け、他方端部にバック掛けを設け、その先端の一部に傘、杖を窪みと輪状の結束ゴムをフックに掛けて保持する手段としてフックを設け、靴べらとして利用できる当該湾曲形状材ホルダーの中間部に下に凸となるように上方向にカーブを設け、椅子と臀部との間に差し込んで使用することを特徴とするバック掛けホルダー。
【発明の詳細な説明】
【技術分野】
【０００１】本発明は、椅子に腰掛けたときバックを保持するバック保持に関するものである。
【背景技術】
【０００２】従来、椅子に腰掛けていたときバック等は床又地表面に直においていた。
【発明の概要】
【発明が解決しようとする課題】
【０００３】そのために、次のような問題点があつた。
（イ）椅子に腰掛けたときバックを直に床等に置くことに躊躇していた。本発明は、これらの問題点を解決するためになされたものである。
【課題を解決するための手段】
【０００４】強度を保つ湾曲形状材ホルダーの一方端にヘラ状部を設け、一方端部にバック掛けを設け、その先端の一部に窪みとフックを設け、ホルダーの中間部を上方向にカーブを設けたことを特徴とするバック掛けホルダー。
【発明の効果】
【０００５】ホルダーのヘラ状部を椅子と臀部の間に差し込み装着しバック掛け部にバックを掛ける。直にバックの下が床に触れることもなく又窪みを利用して傘、杖の保持にも利用でき湾曲部を利用し靴ベラとしも利用できる。バックの中に収納でき便利である。
【図面の簡単な説明】
【０００６】
【図１】  本発明の平面図である。
【図２】  本発明の側面図である。
【図３】  本発明の使用状態図である。
【発明を実施するための形態】
【０００７】以下、本発明の実施の形態について説明する。
強度を保つ湾曲形状材（１）の一方端部に差し込みやすくする勾配を設けたヘラ状部（２）を設け、一方端部にバック掛け部（３）を設け、その先端の一部に窪み（５）と輪状になった結束ゴム（１０）をぶら下げて設け、湾曲形状材（１）の中央部分を上方向にカーブ（４）を設けた。
本発明は、以上のような構成である。
本発明を使用するときは、ヘラ状部（２）を椅子（６）と臀部（７）の間に差し込み装着する。ホルダー（９）が椅子（６）に固定されバックを掛けられる。長椅子のときは前から大腿部に差し込み装着する。バック（８）を直に床に置くこともなく清潔である。傘、杖も窪み（５）を利用し輪状の結束ゴム（１０）をフック（１１）に掛け保持でき、湾曲形状部を靴ベラにも利用できる。
【符号の説明】
【０００８】  １  湾曲形状材
２  ヘラ状部
３  バック掛け部
４  カーブ
５  窪み
６  椅子
７  臀部
８  バック
９  ホルダー
１０  結束ゴム
１１  フック
【図１】
0006355024.tif 000002
【図２】
0006355024.tif 000003
【図３】
0006355024.tif 000004
(57)【特許請求の範囲】
【請求項１】
絶縁チューブのシェル及び磁気リードを含み、前記の絶縁チューブのシェルが中空構成であり、前記磁気リードは前記絶縁チューブのシェルの両端から中央に向けて設けられ、前記磁気リードが中央で互いに重なり合い、
前記磁気リードは、磁性および弾性を備えた軟磁性金属材料製の主体構成部材と、柔軟性と該主体構成部材より高い導電性とを備えた複数の軟質金属ワイヤ（122、132）とを備え、
前記複数の軟質金属ワイヤ（122、132）は、互いに並列になるように、両端が、磁気リードの主体構成部材の両端に溶接されることを特徴とする新形大電流磁気リードスイッチ。
【発明の詳細な説明】
【技術分野】
【０００１】  本発明は様々な電子製品用磁気リードスイッチ、即ち磁気リードパイプ、特に新形高性能大電流磁気リードスイッチ、即ち磁気リードパイプに関する。
【背景技術】
【０００２】  従来の磁気制御スイッチは機械的な磁気リードスイッチ、即ちリードスイッチ及び電子的なデジタルスイッチ、即ちホールスイッチを含む。【０００３】  リードスイッチはWestern  Electric社が1940 年に発明した気密形磁気制御機械的なスイッチであり、磁気近接スイッチまたはリレーとして利用でき、普通の機械的なスイッチより体積が小さく、速度が速く、耐用期間が長く、電子スイッチと比べて見ると、抗衝撃荷重力が強く、信頼性が高い。普通、リードスイッチは構成が2種あり、リードスイッチの内部が磁性材料製弾性磁気リードの1対からなり、磁気リードが不活性ガスの入れたガラスチューブに密封され、磁気リードの端面が重なり合うが、細い隙間がある。スイッチの安定な性及び長い耐用期間に達成するために、磁気リードの端面コンタクトに貴金属ロジウムまたはルテニウムにメッキされている。【０００４】  磁場がない場合、ガラスチューブにあるリードの2枚が分かれているが、磁場がガラスチューブに近寄せる場合、ガラスチューブにあるリードの2枚が磁力線に磁化され、互いに吸引、接触し、ピンの2枚により接続された回路が通じる。外磁力がなくなると、リードの2枚が自身の弾性により分かれ、回路も遮断する。実際な応用で、永久磁石または電磁石により金属片の2枚のON/OFFを制御するので、「マグネトロン」も呼ばれる。【０００５】  リードスイッチの特徴に基づき、リードスイッチの磁気リードの2枚は優れた磁気的性質も優れた導電性（即ちできる限り低い抵抗率）も必要であるが、優れた磁気的性質のある材料は導電性でも抵抗率でも高いので、リードスイッチ両端の抵抗が高く、発熱量が多く、リードスイッチの許容電流が制限される。従来のリードスイッチは負荷できる最大電流が一般的に5Aまでである。
【発明の概要】
【発明が解決しようとする課題】
【０００６】  本発明は構成が簡単であり、従来の製品より更に大きな電流を負荷できる新形大電流磁気リードスイッチ（磁気リードパイプ）を提供することを目的にする。
【課題を解決するための手段】
【０００７】
前記の目的に達成するために、本発明では絶縁チューブのシェル及び磁気リードを含み、前記の絶縁チューブのシェルが中空構成であり、前記磁気リードは前記絶縁チューブのシェルの両端から中央に向けて設けられ、前記磁気リードが中央で互いに重なり合い、前記磁気リードは、磁性および弾性を備えた軟磁性金属材料製の主体構成部材と、柔軟性と該主体構成部材より高い導電性とを備えた複数の軟質金属ワイヤ（122、132）とを備え、前記複数の軟質金属ワイヤ122、132は、互いに並列になるように、両端が、磁気リードの主体構成部材の両端に溶接され、大幅に磁気リードパイプの抵抗を削減して大幅に磁気リードパイプの負荷電流を向上させる新形大電流磁気リードスイッチ（磁気リードパイプ）を提供する。
【発明の効果】
【０００９】  本発明の磁気リードパイプの構成上の特徴により、磁気リードパイプに望ましい磁性がある上、導通抵抗がきわめて低いので、更に大きな負荷電流を提供でき、負荷電流が遥かに従来品を上回る。
【図面の簡単な説明】
【００１０】
【図１】本発明の実例1の構成図
【発明を実施するための形態】
【００１１】  普通、磁気リードパイプは構成によりノーマルオープン形タイプA及び転換スイッチ形タイプCに分けられる。
【実施例１】
【００１２】
図1に主に絶縁チューブのシェル（11）及び可動接触片磁気リード（12、13）からなる新形ノーマルオープン形（タイプA）大電流磁気リードパイプを示す。前記の絶縁チューブのシェル（11）が中空構成であり、可動接触片磁気リード（12、13）は、絶縁チューブのシェル（11）の両端から中央に向けて設けられ、可動接触片磁気リード（12、13）が中央で互いに重なり合って所定の隙間を残し、可動接触片磁気リード（12、13）の重なり合う端面の向き合う箇所に電気コンタクト（121、131）があり、コンタクト（121、131）に貴金属ロジウムまたはルテニウムなどがメッキされ、普通の場合にコンタクト（121）とコンタクト（131）の間に所定の隙間があり、遮断されていて、可動接触片磁気リード（12、13）が優れた磁気的性質及び高強度の弾性のある軟磁性金属材料製の主体構成部材を備え、優れた導電性のある導電材で構成される高い柔軟性の部材（122、132）の両端がそれぞれ可動接触片磁気リード（12、13）の主体構成部材の両端で高温で溶接され、その一端の高温溶接個所がそれぞれコンタクト（121、131）と一体になり、コンタクト（121、131）が酸化されないように、可動接触片磁気リード（12、13）が絶縁チューブのシェル（11）の両端面部（111）としっかり結合して密封され、絶縁チューブのシェル（11）内部に密封構成が形成され、不活性ガスがある。
【００１５】
上記は本発明による実例だけであり、本発明の技術及び範囲を制限するものではない。よって、本発明の技術実質により上記の実例に対するいかなる細部の調整、同等の変更または修飾のすべては本発明の技術方案の範囲にある。
【図１】
0006374104.tif 000002
(57)【特許請求の範囲】
【請求項１】
制御基板と圧縮機とを繋ぐリード線を通し、電磁波ノイズの発生を低減するフェライトコアを備え、前記フェライトコアを前後にリード線を挟む縦スリットを形成した緩衝材で覆い、圧縮機を覆う遮音材にフェライトコアからのリード線を通しながら、緩衝材に覆われたフェライトコアを圧縮機を覆う遮音材と冷媒配管とで挟み込んで固定した事を特徴とするヒートポンプ装置。
【発明の詳細な説明】
【技術分野】
【０００１】
この発明は、電磁波ノイズの発生を低減するフェライトコアを備えたヒートポンプ装置に関するものである。
【背景技術】
【０００２】
従来よりこの種のものに於いては、制御基板と圧縮機を繋ぐリード線を中央のドーナツ部分に通して、電磁波ノイズの発生を低減するフェライトコアを器具本体内に備えたものであった。（例えば、特許文献１）
【先行技術文献】
【特許文献】
【０００３】
【特許文献１】特開２００９−２５０５２１号公報
【発明の概要】
【発明が解決しようとする課題】
【０００４】
ところでこの従来のものでは、フェライトコアは固定されておらず、輸送時の振動等でリード線が切れる不具合を有し、又フェライトコアが圧縮機から離れており、確実に電磁波ノイズの発生を低減することが出来ないと言う課題も有するものであった。
【課題を解決するための手段】
【０００５】
この発明は上記課題を解決する為に、特にその構成を、制御基板と圧縮機とを繋ぐリード線を通し、電磁波ノイズの発生を低減するフェライトコアを備え、前記フェライトコアを前後にリード線を挟む縦スリットを形成した緩衝材で覆い、圧縮機を覆う遮音材にフェライトコアからのリード線を通しながら、緩衝材に覆われたフェライトコアを圧縮機を覆う遮音材と冷媒配管とで挟み込んで固定したものである。
【発明の効果】
【０００６】
以上のようにこの発明によれば、リード線の引っかかりと、圧縮機を覆う遮音材と冷媒配管とで、フェライトコアを傷つけることなく柔らかく固定することが出来るので、輸送時の振動等でフェライトコアが揺れることがなく、リード線が切断される心配がいらず、又フェライトコアは圧縮機の近くにあるので、確実に電磁波ノイズの発生を低減することが出来、極めて使用勝手が良いものである。
【図面の簡単な説明】
【０００７】
【図１】この発明の実施形態を示すヒートポンプ装置の外観斜視図。
【図２】同ヒートポンプ装置の機械室の斜視図。
【図３】同要部の拡大図。
【図４】同要部に端子台を取り付けた状態の拡大図。
【図５】同要部の分解説明図。
【発明を実施するための形態】
【０００８】
この発明の実施形態に係るヒートポンプ装置の構成について図面を参照しながら詳細に説明する。
１は熱源機を構成するヒートポンプ装置で、内部には、冷媒を圧縮する圧縮機２と、圧縮機２から吐出された高温の冷媒を流通させ、この高温の冷媒と加熱循環回路（図示せず）を流れる循環液との熱交換を行う凝縮器（図示せず）と、凝縮器から流出する冷媒を減圧する膨張弁（図示せず）と、膨張弁からの減圧された低温の冷媒と地中熱循環回路を流れる熱媒との熱交換を行う蒸発器（図示せず）と、これらを環状に接続する冷媒配管３とが備えられている。
【０００９】
前記圧縮機２は繊維系の素材を凝固した遮音材４で覆われ、駆動音を遮断して騒音の発生を防止するもので、凝縮器や蒸発器とは仕切り板５で区画された機械室６に冷媒配管３と共に備えられているものである。
【００１０】
７は電磁波ノイズの発生を低減するフェライトコアで、機械室６の天井に備えられた制御基板８と圧縮機２とを繋ぐリード線９を中央に通しており、全体を前後にリード線９が通る縦スリット１０を形成した緩衝材１１で覆われ、この状態でリード線９を圧縮機２を覆う遮音材４のスリット部１２と、端子台取付金具１３の留め具１４に引っかけ、フェライトコア７を緩衝材１１で覆った状態で、圧縮機２の遮音材４と冷媒配管３との間に挿入させることで固定するものである。
【００１１】
１５は前記端子台取付金具１３に取り付けられる端子台で、電源線や離れた室内に設置されている放熱器（図示せず）等との信号線が接続されるものである。
【００１２】
次にこの実施形態のフェライトコア７の固定について説明すれば、制御基板８と圧縮機２とを繋ぐリード線９を中央に通したフェライトコア７を、リード線９を縦スリット１０に通しながら緩衝材１１で覆い、そしてリード線９を圧縮機２を覆う遮音材４のスリット部１２と、端子台取付金具１３の留め具１４に引っかけながら、緩衝材１１に覆われたフェライトコア７を、圧縮機２の遮音材４と冷媒配管３との間に挿入させることで固定するものであり、この隙間は緩衝材１１に覆われたフェライトコア７の厚さより小さく、遮音材４の弾性で嵌合されるものである。
【００１３】
これにより、リード線９の引っかかりと、圧縮機２を覆う遮音材４と冷媒配管３とで、フェライトコア７を傷つけることなく柔らかく強固に固定することが出来るので、輸送時の振動等でフェライトコア７が揺れることがなく、リード線９が切断される心配がいらず、又フェライトコア７は圧縮機２の近くにあるので、確実に電磁波ノイズの発生を低減することが出来、極めて使用勝手が良いものである。
【符号の説明】
【００１４】
１  ヒートポンプ装置
２  圧縮機
３  冷媒配管
４  遮音材
７  フェライトコア
８  制御基板
９  リード線
１１  緩衝材
【図１】
0006359381.tif 000002
【図２】
0006359381.tif 000003
【図３】
0006359381.tif 000004
【図４】
0006359381.tif 000005
【図５】
0006359381.tif 000006